(57)【要約】【課題】キャップと容器口部が嵌め合う部分に内容物が少しずつ堆積してキャップと容器口部の嵌合を阻害することを好適に防止するワンタッチキャップを提供する。【解決手段】キャップの天板裏面１ａに容器口部１０が嵌合する内筒部３を垂直に設け、その側壁部３ｂの天板裏面１ａの近傍に、容器口元部１０ｂおよび天板裏面１ａ等に付着した残留内容物ＲＣを内筒部３の外側に逃がすための貫通穴３ｄを設ける。なお、貫通穴３ｄの側壁部３ｂに沿った断面形状、開口面積、個数、天板裏面１ａからの設定位置については、このキャップ１００が容器口部１０に嵌合する際、残留内容物ＲＣを内筒壁３の外側に逃がし、内筒部３の内周突起３ａが容器口部１０の外周突起１０ａに引っ掛かる限りにおいては、特に拘らない。【選択図】図１
2014046939.tif 000002
【特許請求の範囲】
【請求項１】
蓋を成す天板（１）と、該天板の外周縁に連結して胴部側面を形成する側板（２）と、前記天板（１）の裏面（１ａ）に垂直に設けられ側壁部（３ｂ）の開口端に沿って切り欠き（３ｃ）が周設された円筒部（３）とを備え、該円筒部（３）が容器口部（１０）に嵌合して容器口元部（１０ｂ）を天板裏面（１ａ）によって閉栓するように作用し該容器口部（１０）に対し繰り返し着脱可能に構成されたワンタッチキャップであって、
前記内筒部（３）の前記側壁部（３ｂ）の前記天板裏面（１ａ）近傍に該内筒部（３）の内側と外側を連通する貫通穴（３ｄ）を設けたことを特徴とするワンタッチキャップ。
【発明の詳細な説明】
【技術分野】
【０００１】
本発明は、ワンタッチキャップ、特に、容器口部に繰り返し着脱されるワンタッチキャップにおいてキャップと容器口部が嵌め合う部分に内容物が少しずつ堆積してキャップと容器口部の嵌合を阻害することを好適に防止するワンタッチキャップに関するものである。
【背景技術】
【０００２】
胴部が略円柱状（楕円柱状も含む）または略多角柱状などの中空キャップで、天板裏面に容器口部に嵌合する内筒部が垂直に設けられ、ユーザーがキャップ側板を横方向に摘むことにより、キャップに離脱する力が働き内筒部と容器口部の嵌合が解除されキャップは容器口部から離脱され、他方、ユーザーがキャップを容器口部に押し付けることにより内筒部と容器口部が嵌合しキャップは容器口部に装着されるように構成された、繰り返し着脱可能なワンタッチキャップが広く用いられている（例えば、特許文献１の図６を参照。）。
【０００３】
これらワンタッチキャップでは、容器口部の外周面に設けられた外周突起に内筒部の開口端近傍に設けられた内周突起（内周爪）が引っ掛かることにより、天板裏面によって容器口部出口（口元部）が閉栓され、一方、ユーザーがキャップ側板を摘むことにより、側板が容器肩部のテーパ面にそって上昇して、内筒部の切り欠き間において側壁部の連動（ベント）を誘起し、これにより内筒部の開口端が拡径して内筒部の内周突起が容器口部の外周突起から離脱し、容器口元部が開栓されるように構成されている。
【先行技術文献】
【特許文献】
【０００４】
【特許文献１】特開平７−３２９９９５号公報
【発明の開示】
【発明が解決しようとする課題】
【０００５】
従来のワンタッチキャップでは、容器口部から内容物（中身）が吐出される過程において、粘性のある内容物が容器口元部に若干残り、キャップと容器口部が嵌合する毎に、キャップと容器口部が嵌め合う部分（天板裏面および内筒部の側壁部）に内容物が少しずつ堆積（蓄積）して、終いには、図３に示すように、内筒部３の内周突起３ａが容器口部１０の外周突起１０ａに容易に係合することが出来ず、その結果、キャップと容器の嵌め合いが出来にくくなるという問題があった。
【０００６】
そこで、本発明は、上記従来技術の課題に鑑みなされたものであって、容器口部に繰り返し着脱されるワンタッチキャップにおいてキャップと容器口部が嵌め合う部分に内容物が少しずつ堆積してキャップと容器口部の嵌合を阻害することを好適に防止するワンタッチキャップを提供することを目的とする。
【課題を解決するための手段】
【０００７】
上記従来技術の課題を解決する請求項１記載の発明の手段は、蓋を成す天板（１）と、該天板の外周縁に連結して胴部側面を形成する側板（２）と、前記天板（１）の裏面（１ａ）に垂直に設けられ側壁部（３ｂ）の開口端に沿って切り欠き（３ｃ）が周設された円筒部（３）とを備え、該円筒部（３）が容器口部（１０）に嵌合して容器口元部（１０ｂ）を天板裏面（１ａ）によって閉栓するように作用し該容器口部（１０）に対し繰り返し着脱可能に構成されたワンタッチキャップであって、
前記内筒部（３）の前記側壁部（３ｂ）の前記天板裏面（１ａ）近傍に該内筒部（３）の内側と外側を連通する貫通穴（３ｄ）を設けたことを特徴とする。
【０００８】
請求項１記載の上記構成では、内筒部の側壁部の天板裏面近傍に上記貫通穴を設けたことにより、キャップと容器口部が嵌合する際、その反動により径方向外側に押し出された残留内容物が、その貫通穴を通って内筒部の外側に好適に逃げることが出来るようになる。これにより、キャップと容器口部が嵌合する度に、容器口元部およびキャップ天板裏面等に残留した内容物が上記貫通穴を通って内筒部の外側に押し出されるため、キャップと容器口部が嵌め合う部分に内容物が堆積しなくなり、その結果、キャップと容器口部の嵌め合いが出来にくくなるという問題は好適に改善されるようになる。
【発明の効果】
【０００９】
本発明のワンタッチキャップによれば、以下に記す効果がある。
（１）容器口部に対し繰り返し着脱可能なワンタッチキャップにおいて、容器口元部およびキャップ天板裏面等に残留した内容物が、キャップと容器口部の嵌合の度に上記貫通穴を通って内筒部の外側に押し出されるため、キャップと容器口部が嵌め合う部分に内容物が堆積しなくなり、その結果、キャップと容器口部の嵌合を阻害することがなくなる。
（２）キャップ内筒部の側壁部に上記貫通穴を設けるという、複雑な改造ではなく既存の金型および製造設備を流用したシンプルな改造を適用することが出来るため、１パーツで構成されキャップの着脱機能を安定させると共に、コストの低減も図ることが可能となる。
【図面の簡単な説明】
【００１０】
【図１】本発明のワンタッチキャップと容器口部が嵌合した状態を示す要部断面図である。
【図２】本発明に係る内筒部を示す斜視図である。
【図３】従来のワンタッチキャップと容器口部が嵌合した状態を示す要部断面図である。
【発明を実施するための形態】
【００１１】
以下、図に示す実施の形態により本発明をさらに詳細に説明する。
【００１２】
図１−２は、本発明のワンタッチキャップ１００を示す説明図である。なお、図１は、本発明のワンタッチキャップ１００と容器口部１０が嵌合した状態を示す要部断面図であり、図２は、本発明に係る内筒部３を示す斜視図である。
このワンタッチキャップ１００は、蓋を成す天板１と、その天板の外周縁に連結して胴部側面を形成する側板２と、天板裏面１ａに垂直に設けられ、容器口部１０の外周面に係合して容器口元部１０ｂを天板裏面１ａによって閉栓する内筒部３とを具備して構成されている。特に、このワンタッチキャップ１００では、内筒部３が容器口部１０に嵌合する度に、容器口元部１０ｂおよび天板裏面１ａ等に付着した粘性のある残留内容物ＲＣが、内筒部３の側壁部３ｂと容器口部１０の外周面との隙間に少しずつ堆積して、キャップと容器口部１０の嵌め合いが出来にくくなることを好適に防止するために、内筒部３の側壁部３ｂの天板裏面１ａ近傍に、残留内容物ＲＣを内筒部３の外側に逃がすための貫通穴３ｄが設けられている。この貫通穴３ｄを設けることにより、内筒部３と容器口部１０が嵌合する度に、残留内容物ＲＣが内筒部３の外側に押し出され、内筒部３の内周面と容器口部１０の外周面との隙間に残留内容物ＲＣが堆積しなくなる。その結果、容器口部１０に繰り返し着脱され、容器口部１０から内容物が繰り返し吐出される場合であっても、キャップと容器口部１０の嵌合が好適に維持されるようになる。
【００１３】
このワンタッチキャップ１００も従来のワンタッチキャップと同様に、ユーザーが側板２を横方向に摘みながら、容器口部１０を内筒部３の内部に押し込むことにより、内筒部３の内周突起３ａが容器口部１０の外周突起１０ａに引っ掛かり、容器口元部１０ｂが天板裏面１ａによって閉栓されることになる。他方、ユーザーが側板２を横方向に摘むことによって、側板２が容器肩部２０のテーパ面に沿って上昇して、内筒部３の切り欠き３ｃ間において側壁部３ｂの連動（ベント）を誘起し、これにより内筒部３の開口端が拡径して内筒部３の内周突起３ａが容器口部１０の外周突起１０ａから離脱し、容器口元部１０ｂが開栓されることになる。
【００１４】
内筒部３は、図２に示すように、容器口部１０の外周突起１０ａに係合する（引っ掛かる）内周突起３ａと、側壁部３ｂが弾性変形することを可能にする切り欠き部３ｃと、容器口元部１０ｂおよび天板裏面１ａ等に付着した残留内容物ＲＣを内筒部３の外側に逃がすための貫通穴３ｄを有している。
本実施の形態では、貫通穴３ｄの側壁部３ｂに沿った断面形状は矩形であるが、側壁部３ｂに沿った断面形状は矩形に限定されるのではなく、キャップが容器口部１０に嵌合する際、残留内容物ＲＣを内筒壁３の外側に逃がし、キャップと容器口部１０の嵌め合いが良好に成される（すなわち、内筒部３の内周突起３ａが容器口部１０の外周突起１０ａに好適に引っ掛かる）限りにおいては、その形状については特に拘らない。また、貫通穴３ｄの開口面積、個数、天板裏面１ａからの設定位置についても、同様である。
【００１５】
以上の通り、本発明のワンタッチキャップ１００によれば、容器口元部１０ｂに付着した残留内容物ＲＣが、内筒部３と容器口部１０が嵌合する度に、上記貫通穴３ｄを通って内筒部３の外側に押し出されるため、キャップ１００と容器口部１０が嵌め合う部分に内容物が徐々に堆積しなくなり、その結果、容器口部１０に繰り返し着脱され、容器口部１０から内容物が繰り返し吐出される場合であっても、キャップと容器口部の嵌合を阻害することがなくなる。
【産業上の利用可能性】
【００１６】
本発明のワンタッチキャップは、食品、歯磨き粉、医薬品または絵具等のチューブ容器のキャップに対し好適に適用される。
【符号の説明】
【００１７】
１              天板
１ａ            天板裏面
１ｂ            円周突起
２              側板
３              内筒部
３ａ            内周突起
３ｂ            側壁部
３ｃ            切り欠き
３ｄ            貫通穴
１０            容器口部
１０ａ          外周突起
１０ｂ          容器口元部
２０            容器肩部
ＲＣ            残留内容物
１００          ワンタッチキャップ
【図１】
2014046939.tif 000003
【図２】
2014046939.tif 000004
【図３】
2014046939.tif 000005